(57)【特許請求の範囲】
【請求項１】
浴室ユニットの洗い場側側壁にカウンターを取り付け、このカウンターの下方に水平板と壁面への取付板にてほぼ断面Ｌ形に構成した掛止具を突設し、浴室用椅子を底面及び一側面を開放したほぼ箱形に形成し、座部の裏面を掛止具の水平板が入り込む被掛止部とし、カウンター下方に浴室用椅子を吊り下げ保持するようにしたことを特徴とする浴室用椅子の掛止構造。
【請求項２】
掛止具の水平板の先端縁部を下方に傾斜させた案内面とし、浴室用椅子を押し込むことで吊り下げ保持できるようにしたことを特徴とする請求項１記載の浴室用椅子の掛止構造。
【請求項３】
カウンター及び掛止具を一体に形成したことを特徴とする請求項１又は請求項２記載の浴室用椅子の掛止構造。
【発明の詳細な説明】
【０００１】
【発明の属する技術分野】
本発明は、浴室用椅子を、洗い場の側壁の下方を開放したカウンターの下に設けた掛止具に床面から浮かせて保持し、美感，清掃性及び衛生性の向上を図ると共に洗い場での作業性の向上を図る浴室用椅子の掛止構造に係るものである。
【０００２】
【従来の技術】
従来、浴室ユニット等の洗い場内において用いる洗面器や身体を洗う場合に腰掛ける浴室用椅子は、特定の置き場もなく床面に無造作に置かれていた。
最近、浴室側壁にカウンターが設けられ、洗面器もこの上に載置するように構成したものが提供されているが、浴室用椅子は床面に放置されることになり、石鹸滓や垢の混じった汚水が頻繁にかかる環境にあった。そこで、特に床面との設置面付近に汚れが付着したりヌメリが生ずる原因となり衛生上好ましくなかった。
また、浴室用椅子は、浴室内の清掃に当たって邪魔になったり、洗い場にて、全身にシャワーを浴びる場合やペットやレジャー用品を洗う等の作業においては、無用で邪魔になるだけであった。
【０００３】
上記の問題を解決すべく、特開平１０−１５５６９４号公報の図３及び実開平５−５４３９４号公報図１の手段が提案されている。
これらは、浴室の使い勝手や広さに配慮して、洗い場の側壁に設けたカウンター下の空間に浴室用椅子を収納するものである。
しかし、上述の手段では浴室用椅子が洗い場の床面に接するため、上記の問題点を根本的に解決するものではなかった。
すなわち、収納した状態でも石鹸や垢の混じった汚水が浴室用椅子の脚部下端や接触面を汚し、しかも設置面が乾燥し難くなるので、浴室用椅子及び洗い場に黴や雑菌が繁殖し易く、洗い場を清掃する際にはカウンター下から移動させるので面倒であった。
そして、一般的にはカウンターの下は洗い場からの排水を導く浅い樋状の排水路が形成されるが、浴室用椅子がその流れを妨げることになりがちであった。
【０００４】
浴室用椅子を洗い場の壁面に掛けておくものとしては、特開平９−８８３５９号公報（図７）の手段が開示されている。
これは、洗い場側の壁パネル２に、浴室用椅子３の収納装置１が設けられ、浴室用椅子３は下面開放状の箱形を成しており、収納装置１は、浴室用椅子３の一部を内部に収容する本体４を有しており、この本体４は頂部５を有する断面三角形状をなしており、詳しくは頂部５と対向する面が開口６とされた容器状をなしている。
そして、浴室用椅子３の開放状下面より引掛片５ａを挿入するようにして浴室用椅子３の周側壁３ａを引掛片５ａに引掛ければ、周側壁３ａの、引掛片５ａによる掛止位置よりも下側の位置において、周側壁３ａの外面が押え部５ｂにより下向き（斜め下向き）に押えられ、ここにおいて浴室用椅子３が脱落防止された状態で収納装置１に収納・保持されるものである。
【０００５】
【発明が解決しようとする課題】
しかし、浴室用椅子３の周側壁３ａの外面が押え部５ｂにより下向き（斜め下向き）に押えられることから、浴室用椅子３の腰掛け高さに対して下向き（斜め下向き）寸法で収納・保持されることとなる。
収納装置１に浴室用椅子３を収納取外しする場合、浴室用椅子３の平面寸法より下向き（斜め下向き）寸法が大きく、収納取外しする寸法が下向き（斜め下向き）寸法よりさらに大きい寸法が必要となる。
【０００６】
この収納装置１を、例えばカウンター下方に取り付けると、カウンター自体の高さが、使用に際して不自然な高さとなり、かつ、カウンターの奥行を長くしないと前面に不自然な形で突き出ることになり全体として美感を損なうことになる。いずれにしても、浴室用椅子３が収納・保持された状態で浴室洗い場内に突出するので、浴室用椅子３に誤って接触することが避けられず、浴室用椅子３を変形させたり、怪我をする恐れがあった。
特に、近時の浴室用椅子は、高く大型化しているので、傾けて掛止するのは不自然な形で持ち上げることになり、また、大きく浴室洗い場側に突き出すので適切な手段とは言えないといえる。
【０００７】
【課題を解決するための手段】
そこで、本発明は、上記種々問題点を解決する浴室用椅子の掛止構造を提案するものである。
請求項１の発明に係る引出し構造は、浴室ユニットの洗い場側側壁にカウンターを取り付け、このカウンターの下方に水平板と壁面への取付板にてほぼ断面Ｌ形に構成した掛止具を突設し、浴室用椅子を底面及び一側面を開放したほぼ箱形に形成し、座部の裏面を掛止具の水平板が入り込む被掛止部とし、カウンター下方に浴室用椅子を吊り下げ保持するようにしたことを特徴とするものである。
【０００８】
請求項２の発明に係る引出し構造は、掛止具の水平板の先端縁部を下方に傾斜させた案内面とし、浴室用椅子を押し込むことで吊り下げ保持できるようにしたことを特徴とするものである。
請求項３の発明は、カウンター及び掛止具を一体に形成したことを特徴とする。
【０００９】
請求項１の構成によれば、カウンター下方の側壁に取り付けられて、上記浴室内にて浴室用椅子より高い位置に水平に突出するほぼ断面Ｌ形の掛止具を設け、浴室用椅子を一側面を開放したほぼ箱形に形成し、座部の裏面をほぼ水平面とした被掛止部を形成したので、カウンター下方に浴室用椅子を傾けることなく正位のまま浮かせて開口を挿入することで吊り下げ保持することができるのである。
従って、浴室用椅子は、カウンターの下が特定の置き場所と決められ邪魔になることなく、整然と保持・収納されることとなり、特に床面から浮かして掛止具に浴室用椅子を保持されることから、衛生上極めて良好となるのである。
【００１０】
請求項２の発明の構成によれば、掛止具の水平板の先端縁部を下方に傾斜させた案内面としたので、浴室用椅子を持ち上げることなく、浴室用椅子を押し込むことで吊り下げ保持できることになる。
請求項３の構成によれば、カウンター及び掛止具を一体に形成したので、部品点数が少なくなり、取り付けの手数もかからなくなるのである。
【００１１】
【発明の実施の形態】
以下、この発明の好適な実施形態を図１乃至図４に基づき説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１２】
図１は、本発明に係る一実施形態の浴室用椅子の掛止構造を組み込んだ浴室ユニット２０の斜視図を示している。詳細な図示は省略しているが、この浴室ユニット２０は天井から床面までを含む箱形のものである。
浴室ユニット２０は、浴槽２１とカウンター２２を備えた洗い場２５とから構成されるハーフユニットと称されるものであってもよい。
尚、図中２４は浴室用椅子、２６は洗面器、２７は浴室内の側壁で、この側壁２７にはシャワー水栓２８の受け具及び鏡２９を備えている。
【００１３】
前縁を弧状に膨らませたカウンター２２は、浴槽２１の側面で側壁２７に固定され下方を開放しており、浴室用椅子２４の高さより僅かに高い位置となるように配置され、カウンター２２上面の膨らませた箇所には洗面器２６をその左右には図示しない石鹸、洗剤等を載置できるようになっている。
そして、カウンター２２の下方空間の膨らませた箇所の上方側壁２７に掛止具３０が水平に突出して構成されている。
【００１４】
図２に示すように掛止具３０は、本体というべき水平板３０ａと直角をなす横長板からなる取付基板３０ｂが一体に設けられほぼ断面Ｌ形をなすものである。取付基板３０ｂの四隅にはビス穴３０ｃ，３０ｃが設けられ、上記カウンター２２の下部に形成された空間の上方で、浴室ユニット２０の側壁２７にビス３１、３１をねじ込むことで取り付け固定するようになっている。
掛止具３０の水平板３０ａの突出長さは、後述する浴室用椅子２４の開口２４ｃに挿入した際、浴室用椅子２４の半分以上の幅に亘り、後述の浴室用椅子２４の凹陥部２４ｅの寸法より小さい寸法で、挿入される長さの寸法が選定される。
この場合、後述する浴室用椅子２４が洗い場２５の床面から浮かして保持されるように、上記掛止具３０の水平板３０ａ及び取付基板３０ｂの上端位置寸法が選定され、カウンター２２の下部に形成された空間の上方の側壁２７に取り付けられる（図３参照）。
【００１５】
なお、図面において、上記掛止具３０は、水平板３０ａと取付基板３０ｂとの接続基部から水平板３０ａの先端縁に向かって平面視、僅かに先細りのように構成することにより、後述する浴室用椅子２４の開口に挿入し易く構成できることになる。
【００１６】
図４に示す通り浴室用椅子２４は、底面及び一側面を開放したほぼ箱形をなして構成するもので、側面の開口２４ｃより掛止具３０が挿入されるもので、上面となる座部２４ａは反対側から開口２４ｃ側へと湾曲して窪ませるように形成されると共に、開口２４ｃ側へ水切りできるように構成され、座部２４ａの裏を水平面に形成し被掛止部２４ｂとしてある。
浴室用椅子２４の内側にて、開口２４ｃに臨む両側板２４ｄ、２４ｄ上部に位置して、開口２４ｃの反対側に亘って掛止具３０の水平板３０ａの両側縁を案内する凹陥部２４ｅ、２４ｅが設けられて、浴室用椅子２４の上下のガタ付を防ぎ簡単に抜け落ちないようにしてある。
この凹陥部２４ｅ，２４ｅは、内向きの突条２４ｆ，２４ｆをそれぞれ設けることにより形成されているが、両側板２４ｄ，２４ｄの内側から凹溝を設けて形成してもよい。
【００１７】
なお、図中２４ｇは、上記浴室用椅子２４の開口２４ｃの反対側の側板に設けた把手となる穴で、洗い場２５の床面から浮かして保持される浴室用椅子２４を引出すときの手掛かりにするものである。
２４ｈ，２４ｈは、上記両側板２４ｄ，２４ｄの開口２４ｃ側の端面に突出した突起で、浴室用椅子２４が洗い場２５の床面から浮かして保持された場合、浴室ユニット２０の側壁２７に突起２４ｈ，２４ｈが衝接し、掛止具３０の取付基板３０ｂの厚みによる浴室用椅子２４の傾きを防ぎほぼ正位で吊り下げ、かつ掛止具３０の水平板３０ａが受ける浴室用椅子２４の荷重を浴室ユニット２０の側壁２７に伝達・分散する働きを有する。
また両側板２４ｄ、２４ｄの外側上部には凹溝条２４ｉ、２４ｉが設けられ、浴室用椅子２４を持ち運びするときに両手で掴めるようにしている。
【００１８】
図５は、上述した掛止具３０が上記カウンター２２と一体に形成された場合の例を示しており、上記掛止具３０の取付基板３０ｂがカウンター２２と一体に成形されており、それぞれ別体に構成されていることによる部品点数の増加や管理の煩雑さを解消すると共に、簡単に取り付けることができることとなる。
【００１９】
図６は、掛止具３０の水平板３０ａの先端縁側に前傾湾曲させた案内面３０ｄを設け、浴室用椅子２４の凹陥部２４ｅ，２４ｅを幅広とするよう突条２４ｆ、２４ｆを離して構成したものである。このような構成を採用すると、浴室用椅子２４を掛止具３０に差し込むに連れて浴室用椅子２４の座部２４ａの裏の被掛止部２４ｂが案内面３０ｄに沿って図中矢視のように順次上昇するよう差し込まれることとなり、掛止具３０の水平板３０ａの高さまで浴室用椅子２４を若干持ち上げて案内・差し込む必要がなく、極めて円滑且つ楽に、一点鎖線に示すように浴室用椅子２４を掛止具３０に差し込み、床面から浮かせて保持・収納できることになる。
【００２０】
本発明の実施形態による浴室用椅子の掛止構造は、以上のように構成されており、例えば掛止具３０が別体で構成されている場合には、浴室ユニット２０のカウンター２２の下方の側壁２７にビス３１、３１によってネジ止め固定し、この状態で、浴室用椅子２４の開口２４ｃを掛止具３０に挿入し浴室用椅子２４を浴室ユニット２０の洗い場２５の床面から浮かして保持・収納するもので、浴室用椅子２４の置き場所が決まり、邪魔になることなく浴室ユニット２０内を広く使えることになる。
また、浴室用椅子２４は掛止具３０の挿入のための開口２４ｃを設けていることから、浴室用椅子２４を保持・収納した状態で、カウンター２２下方の側壁２７や浴室用椅子２４内の何れかにラックを設け、ここに洗剤やスポンジ類等の清掃用具類を図３の二点鎖線で示すように隠して収納できるものである。
【００２１】
以上のように浴室用椅子２４が掛止具３０に床面から離れ浮かして保持・収納されると、浴室ユニット２０の洗い場２５の傾斜上流側から流れる石鹸滓や垢の混じった汚水が浴室用椅子２４に触れることなく流れることとなり、衛生的に浴室用椅子２４を掛止具３０に保持・収納でき得ることとなる。
その後、浴室用椅子２４を使用する場合には、浴室用椅子２４の穴２４ｇに指を引っ掛けて引き出すだけで簡単に出して使用することができる。
【００２２】
これまでに説明した実施の形態としては、浴室用椅子２４は角形の箱状をなすものであるが、長円状、円形、楕円状としてもよい。
浴室用椅子２４の被掛止部２４ｂを、開口２４ｃがあるので座部２４ａの裏面としているが、掛止具３０の形態により、側面の上部に複数の穴を穿つなどして形成してもよい。
掛止具３０は図示の例では断面ほぼＬ型をなすものとしているが、水平板３０ａに代えて複数のパイプとしたり、棒体としてもよい。さらに、浴室用椅子２４の側面上部に穴を穿ち被掛止部とする場合には、フックとすることも可能である。
【００２３】
図示の例では、浴室用椅子２４の内側に、掛止具３０の水平板３０ａの両側縁を案内する凹陥部２４ｅ、２４ｅを設けて、上下のガタ付を防ぎ簡単に抜け落ちないようにしてあるが、これに代えて、水平板３０ａを開放端に向けて若干上昇するように傾斜させ、逆に浴室用椅子２４の座部２４ａの裏の被掛止部２４ｂを開口２４ｃに向けて下向きの傾斜を付すことで、吊り下げ保持した状態で前面への抜け落ちを防ぐようにすることもできる。
さらには、掛止具３０の水平板３０ａの先端縁或いは中途に上向きの突条を設け、この突条の入り込む凹条を被掛止部２４ｂに設けることで前面への抜け落ちを防ぐようにすることもできる。
浴室用椅子２４は掛止具３０に正位に吊り下げた状態で、上方から見てカウンター２２に全て被われるように形成することが美感や使い勝手の点で望ましいが、これに限定されない。
なお、カウンター２２及び掛止具３０を浴室ユニット２０の側壁２７に別途取り付けるものとしているが、側壁２７と一体に製作することもできる。
【００２４】
【発明の効果】
以上述べたように、請求項１の発明によれば、浴室ユニットの洗い場側側壁にカウンターと一体に又は別体で、カウンターの下方に水平板と壁面への取付板にてほぼ断面Ｌ形に構成した掛止具を突設し、浴室用椅子を底面及び一側面を開放したほぼ箱形に形成し、座部の裏面をほぼ水平面として被掛止部として、カウンター下方に吊り下げるようにしたので、洗い場の床面から浮かして保持されることになる。
従って、カウンターの下が特定の置き場所となり邪魔になることなく、浴室の洗い場内が整然となり、特に床面から浮かして浴室用椅子が保持されることから、衛生上極めて良好に保持・収納され得ることになる。
特に、近時の高く大型の浴室用椅子の場合は、従来のように傾けることなく、若干持ち上げ押し込むことで掛止し、外して引き出すことで使い勝手が良好になるのである。
【００２５】
請求項２の発明は、掛止具の水平板の先端縁部を下方に傾斜させた案内面とし、浴室用椅子を洗い場の床面を滑らせ押し込むことで吊り下げ保持できるので、収納操作が流れるように簡便になし得ることになる。
請求項３の発明は、カウンター及び掛止具を一体に形成したので、全体としての部品点数が減り、かつ、取り付け作業が効率よく行えることになる。
【図面の簡単な説明】
【図１】  本発明を組み込んだ浴室ユニットの概略斜視図である。
【図２】  本発明に係る掛止具と浴室用椅子を示す分解斜視図である。
【図３】  図２の浴室用椅子を掛止具に保持・収納する状態を示す説明図である。
【図４】  図３の浴室用椅子を示し、（Ａ）は背面図、（Ｂ）は右側面図、（Ｃ）は底面図及び（Ｄ）は（Ａ）の縦断面図である。
【図５】  浴室用椅子を保持・収納する掛止具の第二の実施形態の構成を示す断面図である。
【図６】  浴室用椅子を保持・収納する掛止具の第三の実施形態の構成を示す断面図である。
【図７】  従来の浴室用椅子の収納装置の一例を示す一部断面図である。
【符号の説明】
２０  浴室ユニット
２１  浴槽
２２  カウンター
２４  浴室用椅子
２４ａ  座部
２４ｂ  被掛止部
２４ｃ  開口
２４ｄ  側板
２４ｅ  凹陥部
２４ｆ  突条
２４ｇ  穴（把手）
２４ｈ  突起
２５  洗い場
２６  洗面器
２７  側壁
３０  掛止具
３０ａ  水平板
３０ｂ  取付基板
３０ｃ  ビス穴
３０ｄ  案内面
【図１】
0004606663.tif 000002
【図２】
0004606663.tif 000003
【図３】
0004606663.tif 000004
【図４】
0004606663.tif 000005
【図５】
0004606663.tif 000006
【図６】
0004606663.tif 000007
【図７】
0004606663.tif 000008